(57)【要約】【課題】  落下防止バーの高さを簡単に変更でき、取り外しも可能とする。【課題を解決するための手段】  棚１の側板２、３の内壁面に対し棚板４の前面側の左右端部から上方へ互いに対向させて装着可能な左側、右側バー支持具１０、４０と、これらの間に着脱自在に水平に架設可能な落下防止バー６０を備える。バー６０の左右端部から軸方向外側へ突設されたＴ字状の突設部は、首部と首部から直径方向へ延設された係止部を有する。バー支持具１０、４０は、上下方向に延設され、上方び棚１の左右方向中央向きに開口したガイド部２６、５６を有し、軸を水平にしたバー６０の係止部７４、８４を縦向きにしてバー支持具１０、４０のガイド部２６、５６に開口から挿脱自在である。ガイド部２６、５６の高さの異なる３個所に、係止部７４、８４を軸周りに回転自在な空間を備え、横向きの係止部７４、８４を係止する係止受け部の形成されたバー受け空間部を形成した。【選択図】      図２０
2019103599.tif 000002
【特許請求の範囲】
【請求項１】
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴とする落下防止具。
【請求項２】
棚の前端部近くの左右の側板の内壁面に物品を載せる棚板近くから上方へ形成された穴部の中に、互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴とする落下防止具。
【請求項３】
左右のガイド部の下端部を一番低い係止受け部よりも下方へ延設し、落下防止バーを一番低い係止受け部よりも下方へ退避可能としたこと、
を特徴とする請求項１または２記載の落下防止具。
【請求項４】
落下防止バーは軸方向長さを調節自在な長さ調節部を備えたこと、
を特徴とする請求項１乃至３の内のいずれか一項記載の落下防止具。
【請求項５】
物品を載せる棚板付の棚であって、
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴とする落下防止具付の棚。
【請求項６】
物品を載せる棚板付の棚であって、
棚の前端部近くの左右の側板の内壁面に物品を載せる棚板近くから上方へ形成された穴部の中に、互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴とする落下防止具付の棚。
【請求項７】
左右のガイド部の下端部を一番低い係止受け部よりも下方へ延設し、落下防止バーを一番低い係止受け部よりも下方へ退避可能としたこと、
を特徴とする請求項５または６記載の落下防止具付の棚。
【請求項８】
落下防止バーは軸方向長さを調節自在な長さ調節部を備えたこと、
を特徴とする請求項５乃至７の内のいずれか一項記載の落下防止具付の棚。
【発明の詳細な説明】
【技術分野】
【０００１】
本発明は落下防止具、落下防止具付の棚に係り、とくに地震の揺れで棚に入れた物品が落下するのを防止する落下防止具、落下防止具付の棚に関する。
【背景技術】
【０００２】
従来から、地震の揺れで棚から物品が落下するのを防止する落下防止具がある。例えば特開２０１４−１８６２８号にはオープン棚の左右の側板の前端面に左右一対のサイドレールを上下方向に配設し、これら左右一対のサイドレール間に上下スライド自在にスライドバーを架設した落下防止具が開示されている。この落下防止具は、サイドレールの下端が棚板より上方に位置しており、スライドバーが底板より上方位置に支持されることにより、棚板に載せられた物品が地震の揺れで前方へ飛び出るのを防止するようにしたものである。
【０００３】
けれども、上記した従来の落下防止具では、サイドレールの下端に支持されたスライドバーよりも背の低い物品に対して、落下防止することができない欠点がある。この対策として、サイドレールの下端を棚板近くまで下げると、背の高い物品がサイドバーを乗り越えて落下する恐れがある。
また、スライドバーの不使用時にサイドレールからスライドバーを取り外すことができず、棚の美観が損なわれる欠点がある。
【先行技術文献】
【特許文献】
【０００４】
【特許文献１】特開２０１４−１８６２８号公報
【発明の概要】
【発明が解決しようとする課題】
【０００５】
本発明は上記した従来技術の問題に鑑みなされたもので、落下防止バーの高さを簡単に変更でき、不使用時に取り外しも可能な落下防止具、落下防止具付の棚を提供することを、その目的とする。
【課題を解決するための手段】
【０００６】
請求項１記載の発明では、
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴としている。
請求項２記載の発明では、
棚の前端部近くの左右の側板の内壁面に物品を載せる棚板近くから上方へ形成された穴部の中に、互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴としている。
請求項３記載の発明では、左右のガイド部の下端部を一番低い係止受け部よりも下方へ延設し、落下防止バーを一番低い係止受け部よりも下方へ退避可能としたこと、
を特徴としている。
請求項４記載の発明では、落下防止バーは軸方向長さを調節自在な長さ調節部を備えたこと、
を特徴としている。
請求項５記載の発明では、
物品を載せる棚板付の棚であって、
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴としている。
請求項６記載の発明では、
物品を載せる棚板付の棚であって、
棚の前端部近くの左右の側板の内壁面に物品を載せる棚板近くから上方へ形成された穴部の中に、互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向に延設されるとともに上方及び棚の左右方向中央向きに開口するか、または上下方向に延設されるとともに棚の左右方向中央向きに開口したガイド部を有し、落下防止バーの左右の係止部を縦向きにした状態で開口を通して左側バー支持具と右側バー支持具のガイド部内に挿脱自在に挿入可能に形成されるとともに、左右の係止部を横向きにした状態では開口を通した挿脱が不能に形成されており、
左側バー支持具と右側バー支持具に左右対称に、ガイド部内の高さの異なる複数個所に、係止部を縦向きと横向きの間で軸周りに回転自在な空間を備えるとともに、横向きの係止部を係止可能な係止受け部の形成されたバー受け空間部を形成したこと、
を特徴としている。
請求項７記載の発明では、左右のガイド部の下端部を一番低い係止受け部よりも下方へ延設し、落下防止バーを一番低い係止受け部よりも下方へ退避可能としたこと、
を特徴としている。
請求項８記載の発明では、落下防止バーは軸方向長さを調節自在な長さ調節部を備えたこと、
を特徴としている。
【発明の効果】
【０００７】
本発明によれば、棚の前端部近くの左右の側板の内壁面または前面に対し（或いは、棚の前端部近くの左右の側板の内壁面に物品を載せる棚板近くから上方へ形成された穴部の中に）、物品を載せる棚板近くから上方へ互いに対向させて一対の左側バー支持具及び右側バー支持具を装着し、左側バー支持具と右側バー支持具に上下方向に設けられたガイド部の中に開口から落下防止バーの左右の突設部を縦向きにして挿入し、ガイド部の途中に形成されたバー受け空間部で突設部を横向きにし、係止受け部に係止させることにより、棚の前端部近くの左右の側板の間で棚板より高い位置に落下防止バーを架設することができ、棚板の上に載った物品が地震で動いたときの落下を防止することができる。
また、高さの異なる複数の係止受け部を備えたので、物品の高さに適した高さに落下防止バーを架設することができる。
また、他の発明によれば、左右のガイド部の下端部を一番低い係止受け部よりも下方へ延設し、落下防止バーを一番低い係止受け部よりも下方へ退避可能としたことにより、棚板から物品を出し入れする際に、落下防止バーが邪魔にならないようにできる。
【図面の簡単な説明】
【０００８】
【図１】図１は本発明に係る落下防止具付の棚の使用状態を示す一部省略した斜視図である（実施例１）。
【図２】図１中の左側バー支持具周りを拡大して示す一部省略した斜視図である。
【図３】図３の（１）は図２中の支持具本体の正面図、（２）は右側面図、（３）は平面図である。
【図４】図３の（１）は図２中のカバー板の正面図、（２）は右側面図、（３）は平面図である。
【図５】図２の左側バー支持具の組み立て図である。
【図６】図１中の右側バー支持具周りを拡大して示す一部省略した斜視図である。
【図７】図７の（１）は図６中の支持具本体の正面図、（２）は左側面図、（３）は平面図である。
【図８】図８の（１）は図６中のカバー板の正面図、（２）は左側面図、（３）は平面図である。
【図９】図６の右側バー支持具の組み立て図である。
【図１０】図１中の落下防止バーの斜視図である。
【図１１】図１１の（１）は図１０中の左側の係止金具の正面図、（２）は平面図、（３）は左側面図、（４）は断面図である。
【図１２】図１２の（１）は図１０中の右側の係止金具の正面図、（２）は平面図、（３）は左側面図、（４）は断面図である。
【図１３】図１０の落下防止バーの組み立て図である。
【図１４】落下防止具の使用方法の説明図である。
【図１５】図１４のカバー板を省略した説明図である。
【図１６】図１４の平面図である。
【図１７】棚の落下防止具の使用方法の説明図である。
【図１８】図１７のカバー板を省略した説明図である。
【図１９】棚の落下防止具の使用方法の説明図である。
【図２０】図１９のカバー板を省略した説明図である。
【図２１】棚の落下防止具の使用方法の説明図である。
【図２２】棚の落下防止具の使用方法の説明図である。
【図２３】棚の落下防止具の使用方法の説明図である。
【図２４】図２３のカバー板を省略した説明図である。
【図２５】棚の落下防止具の使用方法の説明図である。
【図２６】棚の落下防止具の使用方法の説明図である。
【図２７】棚の落下防止具の使用方法の説明図である。
【図２８】図２７のカバー板を省略した説明図である。
【図２９】棚の落下防止具の使用方法の説明図である。
【図３０】棚の落下防止具の使用方法の説明図である。
【図３１】棚の落下防止具の使用方法の説明図である。
【図３２】棚の落下防止具の使用方法の説明図である。
【図３３】図３２のカバー板を省略した説明図である。
【図３４】棚の落下防止具の使用方法の説明図である。
【図３５】本発明の変形例に係る落下防止具付の棚の使用状態を示す一部省略した斜視図である。
【図３６】落下防止バーのセット方法の説明図である。
【図３７】落下防止バーのセット方法の説明図である。
【図３８】本発明の他の変形例に係る落下防止具付の棚の使用状態を示す一部省略した斜視図である。
【図３９】図３８の一部省略した正面図である。
【図４０】図３８の変形例に係る落下防止具付の棚の使用状態を示す一部省略した斜視図である。
【発明を実施するための最良の形態】
【０００９】
以下、本発明の最良の形態を実施例に基づき説明する。
【実施例１】
【００１０】
図１乃至図１３を参照して本発明の一実施例を説明する。図１は本発明に係るの落下防止具付の棚の使用状態を示す一部省略した斜視図、図２は図１中の左側バー支持具を拡大して示す外観斜視図、図３の（１）は図２中の支持具本体の正面図、（２）は右側面図、（３）は平面図、図４の（１）は図２中のカバー板の正面図、（２）は右側面図、（３）は平面図、図５は図２の組み立て図、図６は図１中の右側バー支持具を拡大して示す外観斜視図、図７（１）は図６中の支持具本体の正面図、（２）は左側面図、（３）は平面図、図８の（１）は図６中のカバー板の正面図、（２）は左側面図、（３）は平面図、図９は図６の組み立て図、図１０は図１中の落下防止バーの一部省略した外観斜視図、図１１の（１）は図１０中の左側のキャップの正面図、（２）は平面図、（３）は側面図、（４）は断面図、図１２の（１）は図１０中の右側のキャップの正面図、（２）は平面図、（３）は側面図、（４）は断面図、図１３は図１０の組み立て図である。
【００１１】
図１において、１はオープン棚であり、左右の側板２、３の間の上下に、水平に配設された複数の棚板４、５、・・が固着されている。棚板４の前端面４ａは側板２、３の前端面２ａ、３ａより少し後方に退避している。側板２、３の内壁面２ｂ、３ｂの前端近くで、棚板４の前端の左右端部から上方に向けて左右一対の左側バー支持具１０、右側バー支持具４０が左右対称かつ互い対向して装着されており、これらの左側バー支持具１０、右側バー支持具４０の間に落下防止バー６０が架け渡されている。左側バー支持具１０、右側バー支持具４０と落下防止バー６０により、本発明に係る落下防止具が構成されている。
【００１２】
左側バー支持具１０は図２の如く構成されている。この内、１１はプラスチック製で上下に長い箱形の支持具本体であり、図３に示す如く、上方と右方に開口し、上下に延設されるとともに、下部が前寄りにへの字状に折曲したガイド溝１２と、ガイド溝１２の上方の開口１３から下部のへの字状の折曲部１４の開始位置までの間に設けられた上下３段の断面が釣鐘形のバー受け空間部１５、１６、１７と、図３（２）における上下左右に４箇所設けられたネジ孔１８を備えている。ガイド溝１２の折曲部１４を除く溝幅をｗとすると、折曲部１４の溝幅はｗより少し大きく形成されている。バー受け空間部１５、１６、１７の高さＨはガイド溝１２の横幅ｗより３倍近くの大きさに形成されており、下から約２／３の高さまでの横幅Ｗもガイド溝１２の横幅ｗより３倍近くの大きさに形成されている。また、バー受け空間部１５、１６、１７の上部側の約１／３の断面が半径Ｗ／２の円弧に沿って形成されている。ガイド溝１２はへの字状の折曲部１４を除きバー受け空間部１５、１６、１７の図３（２）における左右方向の中央を上下に貫通するように形成されている。ガイド溝１２とバー受け空間部１５、１６、１７は支持具本体１１の右前面１１ｂの側に開口している。ガイド溝１２とバー受け空間部１５、１６、１７の深さＥは同一であり、ガイド溝１２の溝幅ｗより少し大きく形成されている。支持具本体１１の下端部の背面側には段差部１９が形成されており、棚板４の左側前端部の上隅に嵌合可能となっている。
【００１３】
図２の内、２０はプラスチック製で上下に長いカバー板であり、図４に示す如く、上方に開口し、上下に延設されるとともに下部が前寄りにへの字状に折曲したガイドスリット２１と、図４（２）における上下左右に４箇所設けられたネジ孔２２を備えている。ガイドスリット２１は図３の支持具本体１１のガイド溝１２とバー受け空間部１５、１６、１７を除いて略同形であり、上端に開口２３、下部にへの字状の折曲部２４が形成されている。また、各ネジ孔２２は支持具本体１１のネジ孔１８に対応する箇所に設けられている。カバー板２０の背面側の下端部には段差部２５が形成されており、棚板４の前端部の上隅に嵌合可能となっている。段差部２５は支持具本体１１の段差部１９と同形に形成されている。カバー板２０のガイドスリット２１の下端は支持具本体１１のガイド溝１２の下端より少し上に位置している。支持具本体１１のガイド溝１２とカバー板２０のガイドスリット２１によりガイド部２６が構成されている。ガイド部２６はガイド溝１２の上端の開口１３とガイドスリット２１の上端の開口２３により、上方に開口している。また、ガイドスリット２１によりオープン棚１の左右方向中央向きに開口している。
【００１４】
図５は左側バー支持具１０の組み立て方法の説明図であり、支持具本体１１の左側面１１ｃを側板２の内壁面２ｂに当てるとともに段差部１９を棚板４の左端部の上隅に嵌め、支持具本体１１の右側面１１ｂにカバー板２０をネジ孔１８と２２が合うように重ね、４本のネジ２７をネジ孔２２、１８に螺合しながら棚１の側板２の内壁面２ｂに着脱自在に螺着させてある。
【００１５】
右側バー支持具４０は図６の如く構成されている。この内、４１はプラスチック製で上下に長い箱形の支持具本体であり、図７に示す如く、上方と右方に開口し、上下に延設されるとともに、下部が前寄りにへの字状に折曲したガイド溝４２と、ガイド溝４２の上方の開口４３から下部のへの字状の折曲部４４の開始位置までの間に設けられた上下３段の断面が釣鐘形のバー受け空間部４５、４６、４７と、図７（２）における上下左右に４箇所設けられたネジ孔４８を備えている。ガイド溝４２の折曲部４４を除く溝幅をｗとすると、折曲部４４の溝幅はｗより少し大きく形成されている。バー受け空間部４５、４６、４７の高さＨはガイド溝４２の横幅ｗより３倍近くの大きさに形成されており、下から約２／３の高さまでの横幅Ｗもガイド溝４２の横幅ｗより３倍近くの大きさに形成されている。また、バー受け空間部４５、４６、４７の上部側の約１／３の断面が半径Ｗ／２の円弧に沿って形成されている。ガイド溝４２はへの字状の折曲部４４を除きバー受け空間部４５、４６、４７の図７（２）における左右方向の中央を上下に貫通するように形成されている。ガイド溝４２とバー受け空間部４５、４６、４７は支持具本体４１の左前面４１ｂの側に開口している。ガイド溝４２とバー受け空間部４５、４６、４７の深さＥは同一であり、ガイド溝４２の溝幅ｗより少し大きく形成されている。支持具本体４１の下端部の背面側には段差部４９が形成されており、棚板４の右側前端部の上隅に嵌合可能となっている。
【００１６】
図６の内、５０はプラスチック製で上下に長いカバー板であり、図８に示す如く、上方に開口し、上下に延設されるとともに下部が前寄りにへの字状に折曲したガイドスリット５１と、図８（２）における上下左右に４箇所設けられたネジ孔５２を備えている。ガイドスリット５１は図７の支持具本体４１のガイド溝４２とバー受け空間部４５、４６、４７を除いて略同形であり、上端に開口５３、下部にへの字状の折曲部５４が形成されている。また、各ネジ孔５２は支持具本体４１のネジ孔４８に対応する箇所に設けられている。カバー板５０の背面側の下端部には段差部５５が形成されており、棚板４の前端部の上隅に嵌合可能となっている。段差部５５は支持具本体４１の段差部４９と同形に形成されている。カバー板５０のガイドスリット５１の下端は支持具本体４１のガイド溝４２の下端より少し上に位置している。支持具本体４１のガイド溝４２とカバー板５０のガイドスリット５１によりガイド部５６が構成されている。ガイド部５６はガイド溝４２の上端の開口４３とガイドスリット５１の上端の開口５３により、上方に開口している。また、ガイドスリット５１によりオープン棚１の左右方向中央向きに開口している。
【００１７】
図９は右側バー支持具４０の組み立て方法の説明図であり、支持具本体４１の右側面４１ｃを側板３の内壁面３ｂに当てるとともに段差部４９を棚板４の右端部の上隅に嵌め、支持具本体４１の左側面４１ｂにカバー板５０をネジ孔４８と５２が合うように重ね、４本のネジ５７をネジ孔５２、４８に螺合しながら棚１の側板３の内壁面３ｂに着脱自在に螺着させてある。
【００１８】
図１中の落下防止バー６０は図１０に示す如く、金属パイプ製のバー本体６１と、バー本体６１の左右端部に嵌着されたプラスチック製の係止金具７０、８０とからなる。係止金具７０と８０は左右対称に形成されている。左側の係止金具７０は図１１に示す如く、内部にバー本体６１の左端部を嵌脱自在に嵌合可能な有底で円筒状のバー嵌合部７１とバー嵌合部７１の外側の中心から軸方向に突設された平面視がＴ字状の突設部７２から成り、突設部７２は円柱状の首部７３、首部７３の先端から軸方向と直角を成す直径方向へ突設された角柱状の係止部７４から成る。バー嵌合部７１には直径方向の二箇所にネジ孔７５が穿設されている。
【００１９】
バー嵌合部７１の外径Ｃ０はガイド溝１２、ガイドスリット２２の幅ｗより大きく形成されており、首部７３の外径Ｃ１はｗより小さく、軸方向の長さＤ１はカバー板２０の厚さｄ１（図４（１）参照）より長く形成されている。係止部７４は首部７３の軸心から見て半径方向へＬの長さを有し、２Ｌはｗより遥かに大きく、Ｗより少し小さい大きさに形成されている。また、係止部７４の軸方向の長さＤ２はガイド溝１２、バー受け空間部１５、１６、１７の深さＥ（図３（１）参照）より短く形成されている。また係止部７４の高さｈは首部７３の外径Ｃ１と同一に形成されている。係止部７４はバー受け空間部１５、１６、１７の中で、軸回りに回転自在になっている。
【００２０】
右側の係止金具８０は左側の係止金具７０と同形に形成されており、図１２に示す如く、内部にバー本体６１の右端部を嵌脱自在に嵌合可能な有底で円筒状のバー嵌合部８１、バー嵌合部８１の外側の中心から軸方向に突設された平面視がＴ字状の突設部８２から成り、突設部８２は円柱状の首部８３、首部８３の先端から軸方向と直角を成す直径方向へ突設された角柱状の係止部８４から成る。バー嵌合部８１には直径方向の二箇所にネジ孔８５が穿設されている。
【００２１】
バー嵌合部８１の外径Ｃ０はガイド溝４２、ガイドスリット５２の幅ｗより大きく形成されており、首部８３の外径Ｃ１はｗより小さく、軸方向の長さＤ１はカバー板５０の厚さｄ１（図８（１）参照）より長く形成されている。係止部８４は首部８３の軸心から見て半径方向へＬの長さを有し、２Ｌはｗより遥かに大きく、Ｗより少し小さい大きさに形成されている。また、係止部８４の軸方向の長さＤ２はガイド溝４２、バー受け空間部４５、４６、４７の深さＥより短く形成されている（図７（１）参照）。また係止部８４の高さｈは首部８３の外径Ｃ１と同一に形成されている。係止部８４はバー受け空間部４５、４６、４７の中で、軸回りに回転自在になっている。
【００２２】
図１３は落下防止バー６０の組み立て方法の説明図であり、バー本体６１の左端部に係止金具７０のバー嵌合部７１を嵌合し、突設部７２が横向き（係止部７４の長手方向が横向き（水平向き））となるようにしてネジ孔７５にネジ７６を螺合し、ネジ７６の先端をバー本体６１に押圧して抜け止めを行う。また、バー本体６１の右端部に係止金具８０のバー嵌合部８１を嵌合し、、突設部８２が横向き（係止部８４の長手方向が横向き（水平向き））となるようにしてネジ孔８５にネジ８６を螺合し、ネジ８６の先端をバー本体６１に押圧して抜け止めを行う。組み立て後の落下防止バー６０は水平にして左側の係止金具７０の首部７３を左側バー支持具１０の内、カバー板２０のガイドスリット２１に嵌挿したとき、右側の係止金具８０の首部８３を右側バー支持具４０の内、カバー板５０のガイドスリット５１に嵌挿可能な長さとなっている。
【００２３】
次に、図１、図１４乃至図３４を参照して上記の如く構成された落下防止具１０の使用方法を説明する。
なお、予め、オープン棚１の棚板４の前端の左側端部の上隅に段差部１９、２５が嵌るようにして、左側バー支持具１０が左側の側板２の内壁面２ｂに装着されており、棚板４の前端の右側端部の上隅に段差部４９、５５が嵌るようにして、右側バー支持具４０が右側の側板３の内壁面３ｂに装着されているものとする。
棚板４の上に載せた物品９０、９１、・・の背が高い場合、ユーザは落下防止バー６０を手に持って水平かつ左右の係止金具７０、８０の突設部７２、８２を縦向き（係止部７４、８４を縦向き（上下方向向き））にし、左側バー支持具１０、右側バー支持具４０の上方から下方へ移動し（図１４と図１５の矢印Ａ参照）、左側の係止金具７０の係止部７４を左側の支持具本体１１の開口１３からガイド溝１２に入れ、首部７３をカバー板２０の開口２３からガイドスリット２１に入れ、右側の係止部８４を右側の支持具本体４１の開口４３からガイド溝４２に入れ、首部８３をカバー板５０の開口５３からガイドスリット５１に入れる（図１４、図１５、図１６参照）。
【００２４】
そして、左側の係止部７４がバー受け空間部１５に入り（図１７、図１８参照）、右側の係止部８４がバー受け空間部４５に入ったところで、落下防止バー６０を軸周りに９０度回転させて係止部７４、８４を横向きとし（図１７、図１８の矢印Ｂ参照）、バー受け空間部１５の底の係止受け部１５ａに係止部７４を載せ（図１９、図２０参照）、バー受け空間部４５の底の係止受け部４５ａの底に係止部８４を載せ、手を離す。すると、左側バー支持具１０、右側バー支持具４０の間で、棚板４から比較的高い位置に落下防止バー６０が水平に架設された状態となるので（図１参照）、地震でオープン棚１が揺れて棚板４の上で背の高い物品９０、９１、・・が動いても高い位置に在る落下防止バー６０に当たるため、確実に落下防止が図られる。
【００２５】
地震の揺れや、物品９０、９１、・・の衝突で落下防止バー６０が上下左右に動いても、係止部７４がバー受け空間部１５の内側壁１５ｂ、１５ｃやカバー板２０に当たったり、係止部８４がバー受け空間部４５の内側壁４５ｂ、４５ｃやカバー板５０に当たったりして、落下防止バー６０が左側バー支持具１０、右側バー支持具４０から外れることは無い。
【００２６】
物品９０、９１・・の背が低く、落下防止バー６０の高さを下げたい場合、落下防止バー６０を持ち、軸周りに９０度回転させて係止部７４、８４を縦向きとし（図１７、図１８参照）、係止部７４をバー受け空間部１５の底の係止受け部１５ａからガイド溝１２に入れ、係止部８４をバー受け空間部４５の底の係止受け部４５ａからガイド溝４２に入れて下方へ移動し（図２１の矢印Ｃ参照）、左側の係止部７４がバー受け空間部１６に入り、右側の係止部８４がバー受け空間部４６に入ったところで、落下防止バー６０を軸周りに９０度回転させて係止部７４、８４を横向きとし（図２２の矢印Ｄ参照）、バー受け空間部１６の底の係止受け部１６ａに係止部７４を載せ（図２３、図２４参照）、バー受け空間部４６の底の係止受け部４６ａの底に係止部８４を載せ、手を離す。これにより、一段低い位置に落下防止バー６０を架設させることができる（図２５参照）。
落下防止バー６０の高さを更に下げたい場合、落下防止バー６０を持ち、軸周りに９０度回転させて係止部７４、８４を縦向きとし（図２２参照）、係止部７４をバー受け空間部１６の底１６ａからガイド溝１２に入れ、係止部８４をバー受け空間部４６の底４６ａからガイド溝４１に入れて下方へ移動し、左側の係止部７４がバー受け空間部１７に入り、右側の係止部８４がバー受け空間部４７に入ったところで、落下防止バー６０を軸周りに９０度回転させ（図２６の矢印Ｅ参照）、バー受け空間部１７の底の係止受け部１７ａに係止部７４を載せ（図２７、図２８参照）、バー受け空間部４７の底の係止受け部４７ａの底に係止部８４を載せ、手を離す。これにより、更に一段低い位置に落下防止バー６０を架設させることができる（図２９参照）。
このように、落下防止バー６０の高さを下げることで、背の低い物品に対しても確実に落下防止を図ることが可能となる。
【００２７】
なお、棚板４から外部に物品９０、９１、・・を取り出したい場合、落下防止バー６０を持ち、軸周りに９０度回転させて係止部７４、８４を縦向きとし（図２６参照）、係止部７４をガイド溝１２に入れ、係止部８４をガイド溝４２に入れ、下部のへの字状の折曲部１４、４４の底１４ａ、４４ａまで移動して手を離すことで（図３０の矢印Ｆ、図３１の矢印Ｇ、図３２と図３３の矢印Ｈ参照）、棚板４の前端面４ａの位置まで下げることができ（図３４参照）、落下防止バー６０に邪魔されることなく、棚板４に載った物品９０、９１、・・を外部に取り出したり、外部から物品を棚板４の上に入れたりすることができる。
【００２８】
また、落下防止バー６０を使用しないときは、係止部７４、８４を縦向きにし、ガイド部２６、５６の中を突設部７２、８２を上方へ移動させて開口１３と２３、４３と５３から上方へ抜けば良い。
【００２９】
この実施例によれば、オープン棚１の前端部近くの左右の側板２、３の内壁面２ｂ、３ｂに対し、物品９０、９１、・・を載せる棚板４の左右端部から上方へ互いに対向させて着脱自在に一対の左側バー支持具１０及び右側バー支持具４０を装着し、左側バー支持具１０と右側バー支持具４０に上下方向に設けられたガイド部２６、５６の中に落下防止バー６０の左右の突設部７２、８２を縦向きにして挿入し、ガイド部２６、５６の途中に形成されたバー受け空間部１５と４５（１６と４６、または１７と４７）で突設部７２、８２を横向きにし、係止受け部１５ａと４５ａ（１６ａと４６ａ、または１７ａと４７ａ）に係止させることにより、オープン棚１の前端部近くの左右の側板２、３の間で棚板４より高い位置に落下防止バー６０を水平に架設することができ、棚板４の上に載った物品９０、９１、・・が地震で動いたときの落下を防止することができる。
また、高さの異なる複数の係止受け部１５ａ乃至１７ａ、４５ａ乃至４７ａを備えたので、物品９０、９１、・・の高さに適した高さに落下防止バー６０を架設することができ、背の高い物品でも低い物品でも、確実に落下防止を図ることができる。
また、ガイド部２６、５６が上方に開口しているので、落下防止バー６０をオープン棚１から簡単に取り外すことができる。
また、左右のガイド部２６、５６の下端部を一番低い係止受け部１７ａ、４７ａよりも下方へ延設し、落下防止バー６０を係止受け部１７ａ、４７ａよりも下方の棚板４の前面４ａの位置に退避可能としたことにより、棚板４から物品９０、９１、・・を出し入れする際に、落下防止バー６０が邪魔にならないようにできる。
【００３０】
なお、上記した実施例では、左側バー支持具と右側バー支持具をオープン棚の左右の側板の内壁面に装着する場合を例に挙げて説明したが、本発明は何らこれに限定されるものでなく、図３５に示す如く、オープン棚１Ａの棚板４Ａの前端面４ａが左右の側板２、３の前端面２ａ、３ａと一致しているときなど、左側バー支持具１０と右側バー支持具４０を左右の側板２、３の前端面２ａ、３ａに接着等で装着するようにしても良い。この場合、図５中のネジ２７はカバー板２０を支持具本体１１にネジ止め可能な長さにすれば良く、同様に、図９中のネジ５７はカバー板５０を支持具本体４１にネジ止め可能な長さにすれば良い。
また、上記した実施例では、バー受け空間部を上下３段に設けたが、二段或いは四段以上設けるようにしても良い。
また、落下防止バーのバー本体に長さ調節部を設け、落下防止バーの軸方向の長さを調節可能としても良い。
また、落下防止バーの両端に設けた突設部を落下防止バーの軸方向外側へ延設された首部と、首部の先端から直径方向へ延設された係止部とから成る略Ｔ字状に形成したが、首部と首部の先端から半径方向へ延設された係止部とからなる略Ｌ字状に形成しても良い。左右両端の突設部の内、一方を略Ｔ字状、他方を略Ｌ字状としても良い。
【００３１】
また、上記した実施例では、落下防止バー６０を左側バー支持具１０の上端の開口１３、２３と右側バー支持具４０の上端の開口４３、５３を通してガイド部２６、５６の中に挿脱する場合につき説明したが、本発明は何らこれに限定されず、ガイド部２６、５６の内、オープン棚１の左右方向中央向きの開口であるガイドスリット２１、４１を通してガイド部２６、５６に挿脱するようにしても良い。
具体的には落下防止バー６０を左側バー支持具１０、右側バー支持具４０にセットする際、例えば図３６に示す如く、正面から見て斜めに傾けた落下防止バー６０の左右端部の係止部７４、８４を縦向きとし、右側の係止部８４を右側バー支持具４０のガイドスリット４１の下端近くからガイド部５６の下端部に挿入する（図３６の矢印Ｘ参照）。続いて、落下防止バー６０を水平にしながら左側の係止部７４を左側バー支持具１０のガイドスリット２１の下端近くからガイド部２６の下端部に挿入する（図３７の矢印Ｙ参照）。落下防止バー６０を左側バー支持具１０、右側バー支持具４０から外す際は逆の手順で行えば良い。
【００３２】
図３６、図３７に示すように落下防止バー６０を、左側バー支持具１０、右側バー支持具４０に設けられた左右方向中央向きの開口であるガイドスリット２１、４１を通してガイド部２６、５６に挿脱自在に挿入可能なので、左側バー支持具１０の上端の開口１３、２３と右側バー支持具４０の上端の開口４３、５３を省略し、閉塞することもできる。
従って、図３８、図３９のオープン棚１Ｂに示す如く、左側の側板２Ｂの内壁面２ｂに棚板４の前端部の左端近くから上方に形成した穴部２ｃの中に、左側バー支持具１０をネジ止めまたは接着等で装着し、右側の側板３Ｂの内壁面３ｂに棚板４の右端近くから上方に形成した穴部３ｃの中に、右側バー支持具４０をネジ止めまたは接着等で装着した場合でも、左側バー支持具１０の上端の開口１３、２３と右側バー支持具４０の上端の開口４３、５３の有無に関らず、落下防止バー６０を左側バー支持具１０、右側バー支持具４０に設けられた左右方向中央向きの開口であるガイドスリット２１、４１を通してガイド部２６、５６に挿脱自在に挿入可能である。図３８、図３９は、穴部２ｃ、３ｃが深く、ガイド板２０、４０の外面と内壁面２ｂ、３ｂが面一である場合を示すが、図４０のオープン棚１Ｂ’に示す如く、側板２Ｂ’、３Ｂ’の穴部２ｃ’、３ｃ’を浅くし、左側バー支持具１０、右側バー支持具４０の一部が内壁面２ｂ、３ｂから外側に露出するように棚１Ｂ’に装備しても良い。
【産業上の利用可能性】
【００３３】
本発明は、本棚、食器棚などの前面が開口した棚に適用可能である。
【符号の説明】
【００３４】
１  オープン棚
２、３  側板
２ｂ、３ｂ  側壁面
４  棚板
１０  左側バー支持具
１１、４１  支持具本体
１２、４２  ガイド溝
１３、２３、４３、５３  開口
１５乃至１７、４５乃至４７  バー受け空間部
１５ａ乃至１７ａ、４５ａ乃至４７ａ  係止受け部
２０、５０  カバー板
２１、５１  ガイドスリット
２６、５６  ガイド部
４０  右側バー支持具
６０  落下防止バー
７０、８０  係止金具
７２、８２  突設部
７４、８４  係止部
【図１】
2019103599.tif 000003
【図２】
2019103599.tif 000004
【図３】
2019103599.tif 000005
【図４】
2019103599.tif 000006
【図５】
2019103599.tif 000007
【図６】
2019103599.tif 000008
【図７】
2019103599.tif 000009
【図８】
2019103599.tif 000010
【図９】
2019103599.tif 000011
【図１０】
2019103599.tif 000012
【図１１】
2019103599.tif 000013
【図１２】
2019103599.tif 000014
【図１３】
2019103599.tif 000015
【図１４】
2019103599.tif 000016
【図１５】
2019103599.tif 000017
【図１６】
2019103599.tif 000018
【図１７】
2019103599.tif 000019
【図１８】
2019103599.tif 000020
【図１９】
2019103599.tif 000021
【図２０】
2019103599.tif 000022
【図２１】
2019103599.tif 000023
【図２２】
2019103599.tif 000024
【図２３】
2019103599.tif 000025
【図２４】
2019103599.tif 000026
【図２５】
2019103599.tif 000027
【図２６】
2019103599.tif 000028
【図２７】
2019103599.tif 000029
【図２８】
2019103599.tif 000030
【図２９】
2019103599.tif 000031
【図３０】
2019103599.tif 000032
【図３１】
2019103599.tif 000033
【図３２】
2019103599.tif 000034
【図３３】
2019103599.tif 000035
【図３４】
2019103599.tif 000036
【図３５】
2019103599.tif 000037
【図３６】
2019103599.tif 000038
【図３７】
2019103599.tif 000039
【図３８】
2019103599.tif 000040
【図３９】
2019103599.tif 000041
【図４０】
2019103599.tif 000042